(57)【要約】【課題】車載用のプロテクタの内部に挿通されるワイヤハーネスの引き出し部を、引張力が負荷されても位置ズレなく固定する。【解決手段】ワイヤハーネスを内部に挿通するプロテクタであって、底部と両側部を有するプロテクタ本体の長さ方向の先端にバンド締め部を突設しており、前記バンド締め部は、前記プロテクタ本体の底部に連続する底部と、該底部の幅方向の一側から突設する側部を有する断面L形状とし、前記底部と側部の突出端に内面側に突出するL形状にワイヤハーネスのズレ防止用リブを突設していると共に、前記側部の先端側の外面にバンド通し筒部を突設し、前記バンド締め部の底部と側部の内面に接触させてワイヤハーネスを挿通させると共に該バンド締め部と非接触のワイヤハーネス外面からバンド締め部の外面に、前記バンド通し筒部を通した締結バンドで締結固定し、該締結バンドにより締結されたワイヤハーネスが前記ズレ防止用リブを乗り越えて引き出される。【選択図】図１
2009065798.tif 000002
【特許請求の範囲】
【請求項１】
ワイヤハーネスを内部に挿通する樹脂成形品からなるプロテクタであって、
底板部と両側板部を有するプロテクタ本体のワイヤハーネス引出側となる長さ方向の先端にバンド締め部を設けており、
前記バンド締め部は、前記プロテクタ本体の底板部に連続する底部と、該底部の幅方向の一側から突設する側部を有する断面Ｌ形状とし、該断面Ｌ形状の内面側をワイヤハーネス挿通支持部とし、該底部および側部の内面側にワイヤハーネスのズレ防止用リブを突設していると共に、前記側部の外面にバンド通し筒部を突設し、
前記バンド通し筒部を通した締結バンドを前記バンド締め部の外面よりワイヤハーネスの外面に巻き付けて締結固定し、該締結バンドにより締結されたワイヤハーネスが前記ズレ防止用リブを乗り越えて引き出される構成としていることを特徴とするワイヤハーネス用のプロテクタ。
【請求項２】
前記ワイヤハーネスのズレ防止用リブを、前記ワイヤハーネス挿通支持部となる底部と側部の突出端の内面側に突出するＬ形状のリブとしている請求項１に記載のワイヤハーネス用のプロテクタ。
【請求項３】
前記ワイヤハーネスのズレ防止用リブを、前記ワイヤハーネス挿通支持部となる側部の先端内面に突設すると共に、前記底部の内面にワイヤハーネスの挿通方向と直交方向に間隔をあけて点在させて突設している請求項１に記載のワイヤハーネス用のプロテクタ。
【請求項４】
前記バンド締め部の底部あるいは／および側部の外面先端部にバンドのズレ防止用リブを突設している請求項１乃至請求項３のいずれか１項に記載のワイヤハーネス用のプロテクタ。
【請求項５】
前記ワイヤハーネスを分岐して異なる方向に引き出すものであり、該ワイヤハーネスの引出側では、前記底板部を幅方向で分岐させ、分岐させた一方側をバンド締め部とすると共に他方側をテープ巻き固定部とし、さらに、
前記バンド締め部の底部の中央にワイヤハーネスを分岐する仕切壁を突設し、仕切られた一方側の第１バンド締め部では底板を突出させると共に該底板の外縁から突出する前記側板外面に前記バンド通し筒を設ける一方、
仕切られた他方側の第２バンド締め部では、底板にバンド通す孔を穿設すると共に該底板の外縁から突出する前記側板の外面に前記バンド通し筒部を設けている請求項１乃至請求項４のいずれか１項に記載のワイヤハーネス用のプロテクタ。
【発明の詳細な説明】
【技術分野】
【０００１】
本発明は、車両に配索するワイヤハーネスを保護および経路規制するプロテクタに関し、特に、プロテクタより引き出されるワイヤハーネスの位置ズレを防止するものである。
【背景技術】
【０００２】
従来、自動車に配索されるワイヤハーネスには、外部干渉材からのワイヤハーネスの保護やワイヤハーネスの配索ラインを規制する等の目的から、樹脂成形品からなるプロテクタを設け、該プロテクタの内部にワイヤハーネスを挿通している。
この種のプロテクタとして、例えば、特開平７−６７２２９号公報（特許文献１）のプロテクタが提供されている。前記プロテクタ１は、図９に示すように、樋形状のプロテクタ１の先端からハーネス固定用リブ２が突設され、該ハーネス固定用リブ２の一側部にプロテクタ側に開放口３ａを設けたバンド固定部材３を一体的に設けている。ハーネス固定用リブ２にワイヤハーネスＷ／Ｈを沿わせ、ワイヤハーネスＷ／Ｈにバンドクランプ４を巻回して結束し、バンドクランプ４を開放口３ａからバンド固定部材３に挿入している。  前記構成からなるプロテクタでは、バンド固定部材３でバンドクランプ４を固定し、バンドクランプ４の位置ズレを防止している。
【０００３】
前記構成のプロテクタで外装したワイヤハーネスは、プロテクタ１の外側からワイヤハーネスＷ／Ｈが挿通方向に沿って引張力を受ける場合、プロテクタ１のハーネス固定用リブ２の内面が平滑であるため、プロテクタ１内のワイヤハーネスＷ／Ｈが引張側に引っ張られて位置ズレしやすくなる。その結果、プロテクタから引き出されるワイヤハーネスの寸法にばらつきが生じやすくなるという問題がある。また、該プロテクタで外装したワイヤハーネスを、ワイヤハーネス組立工場からポリケース等に収納して輸送する際や、車両に組み付けられる直前にハンガー掛けされた際にも、プロテクタ１内のワイヤハーネスＷ／Ｈが位置ズレしやすく、ワイヤハーネスＷ／Ｈのズレ防止の観点でさらに改善の余地がある。
【０００４】
【特許文献１】特開平７−６７２２９号公報
【発明の開示】
【発明が解決しようとする課題】
【０００５】
本発明は前記問題に鑑みてなされたものであり、車載用のプロテクタの内部に挿通されるワイヤハーネスの位置ズレを防止し、プロテクタから引き出されるワイヤハーネスの寸法精度を高めることを課題としている。
【課題を解決するための手段】
【０００６】
前記課題を解決するために、本発明は、ワイヤハーネスを内部に挿通する樹脂成形品からなるプロテクタであって、
底板部と両側板部を有する樋形状としたプロテクタ本体のワイヤハーネス引出側となる長さ方向の先端にバンド締め部を突設しており、
前記バンド締め部は、前記プロテクタ本体の底板部に連続する底部と、該底部の幅方向の一側から突設する側部を有する断面Ｌ形状とし、該断面Ｌ形状の内面側をワイヤハーネス挿通支持部とし、該底部および側部の内面側にワイヤハーネスのズレ防止用リブを突設していると共に、前記側部の外面にバンド通し筒部を突設し、
前記バンド通し筒部を通した締結バンドを前記バンド締め部の外面よりワイヤハーネスの外面に巻き付けて締結固定し、該締結バンドにより締結されたワイヤハーネスが前記ズレ防止用リブを乗り越えて引き出される構成としていることを特徴とするワイヤハーネス用のプロテクタを提供している。
【０００７】
前記ワイヤハーネスのズレ防止用リブは、前記ワイヤハーネス挿通支持部となる底部と側部の突出端の内面側に突出するＬ形状のリブとしている。
あるいは、前記ワイヤハーネスのズレ防止用リブを、前記ワイヤハーネス挿通支持部となる側部の先端内面に突設すると共に、前記底部の内面にワイヤハーネスの挿通方向と直交方向に間隔をあけて突設している。
【０００８】
前記のように、本発明のプロテクタでは、内部から引き出されるワイヤハーネスをプロテクタの引き出し側の先端に設けたバンド締め部でバンド締めで締結固定している。該バンド締め部では、その底部と側部とからなるワイヤハーネス挿通支持部において、ワイヤハーネスと接触する内面側に突出するワイヤハーネスのズレ防止用リブを設け、ワイヤハーネスをズレ防止用リブとの接触部で屈曲し、該ズレ防止用リブを乗り越えて引き出しているため、ワイヤハーネスはズレ防止用リブに押圧される状態となる。よって、プロテクタの外側からワイヤハーネスが挿通方向に沿って引張力を受けても、ワイヤハーネスの屈曲部がズレ防止用リブに当接してワイヤハーネス挿通方向への動きが阻止されるため、ワイヤハーネスの位置ズレを防止することができる。
【０００９】
前記ワイヤハーネスのズレ防止用リブは、前記ワイヤハーネス挿通支持部となる底部と側部の突出端の内面側に突出するＬ形状のリブとしている。
このように記ズレ防止用リブを、バンド締め部の先端側において、底部と側部の内面にＬ形状に連続させることにより、縦横二方向にわたって前記ズレ防止用リブをワイヤハーネスに当接させることができる。よって、ワイヤハーネスの位置ズレをより効果的に防止することができると共に、重量が相当量となることが多いワイヤハーネスの電線群を、前記断面Ｌ形状のバンド締め部で安定保持させてバンド締めすることができる。
前記Ｌ形状のズレ防止用リブとしては、底部の先端から側部の先端まで連続させておくことが好ましい。
【００１０】
あるいは、前記ワイヤハーネスのズレ防止用リブを、前記ワイヤハーネス挿通支持部となる側部の先端内面に突設すると共に、前記底部の内面にワイヤハーネスの挿通方向と直交方向に間隔をあけて点在させて突設している。
【００１１】
前記のように、バンド締め部の側部の先端内面にワイヤハーネスのズレ防止用リブを突設していると共に、バンド締め部の側部の内面にワイヤハーネスの挿通方向と直交方向に間隔をあけてワイヤハーネスのズレ防止用リブを点在させると、バンド締め部の内面においてワイヤハーネスとズレ防止用リブとの当接箇所が広範囲に多数設けることができ、ワイヤハーネスの位置ズレを効果的に防止することができる。
また、前記ズレ防止用リブによってワイヤハーネスの挿通スペースが大幅に狭められることがなく、安定状態でワイヤハーネスをバンド締め部に挿通し、バンド締め固定することができる。
【００１２】
前記バンド締め部の底部内面に点在させるズレ防止用リブの配置パターンとしては、小片状のズレ防止用リブを所定ピッチで配置し、各ズレ防止用リブの長さ方向を前記ワイヤハーネス挿通方向に直交する方向に一致させていてもよいし、あるいはハ字状に傾斜させていてもよい。
【００１３】
さらに、本発明のプロテクタでは、バンド締め部の底部あるいは／および側部の外面先端部に締結バンドのズレ防止用リブを突設していることが好ましい。
前記のように、バンド締め部の底部あるいは／および側部の外面先端部にバンドのズレ防止用リブを設けることにより、ワイヤハーネスが挿通方向に引っ張られ、バンドも該引張力を受けた場合でも、前記方向へのバンドの動きが阻止され、バンドの位置ズレが防止できる。即ち、バンドが位置ズレすることなく所定位置で強固にワイヤハーネスを固定することができるため、ワイヤハーネスの位置ズレを一層効果的に防止できる。
【００１４】
プロテクタから引き出すワイヤハーネスを分岐して異なる３方向へと引き出すものである場合、プロテクタのワイヤハーネス引出側には、前記底板部を幅方向で分岐させ、分岐させた一方側をバンド締め部とすると共に他方側をテープ巻き固定部とし、さらに、
前記バンド締め部の底部の中央にワイヤハーネスを分岐する仕切壁を突設し、仕切られた一方側の第１バンド締め部では底板を突出させると共に該底板の外縁から突出する前記側板外面に前記バンド通し筒を設ける一方、
仕切られた他方側の第２バンド締め部では、底板にバンド通す孔を穿設すると共に該底板の外縁から突出する前記側板の外面に前記バンド通し筒部を設けている。
【００１５】
前記構成とすると、プロテクタから引き出すワイヤハーネスが分岐して異なる方向に配索される場合、各ワイヤハーネスをプロテクタから引き出す位置で配索方向に分けて固定でき、かつ、分岐したワイヤハーネスをそれぞれ確実に位置ずれを防止でき、プロテクタから引き出されるワイヤハーネスの寸法精度を高めることができる。  
【発明の効果】
【００１６】
前述したように、本発明のプロテクタでは、プロテクタの先端から引き出されるワイヤハーネスをバンド締め部に押し当てて挿通させてバンド締め固定し、かつ、ワイヤハーネスのズレ防止用リブを突設しているため、該ズレ防止用リブでワイヤハーネスは屈曲し、該ズレ防止用リブを乗り越えて引き出されるため、ワイヤハーネスはズレ防止用リブに押圧される状態となる。よって、プロテクタの外側からワイヤハーネスが挿通方向に沿って引張力を受けても、ワイヤハーネスが前記ズレ防止用リブに当接してワイヤハーネス挿通方向への動きが阻止されるため、ワイヤハーネスの位置ズレを防止することができる。
【発明を実施するための最良の形態】
【００１７】
以下、本発明の実施形態を図面を参照して説明する。
図１乃至図６に本発明の自動車に搭載するプロテクタの第１実施形態を示す。
第１実施形態のプロテクタ１０は図１、２に示すように、ワイヤハーネスＷ／Ｈの長さ方向Ｘに延在し、その両端をワイヤハーネスの出入口とし、一方の入口から集束して挿入したワイヤハーネスＷ／Ｈを他方の出口から３方向へ分岐して引き出している。
該出口側には、第１バンド締め部１２、第２バンド締め部１３、テープ締め部１７を設けてワイヤハーネスＷ／Ｈを位置ずれなく固定して引き出している。他方の入口側にはテープ締め部１８を設け、プロテクタ１０内に挿入するワイヤハーネスＷ／Ｈを位置決め固定している。
【００１８】
プロテクタ１０はナイロン、ポリプロピレン等の合成樹脂から成形し、前記入口側から前記３つに分岐させた出口側に達するまでのプロテクタ本体１１は、底板部１１ａの幅方向の両端から両側部１１ｂが突出した形状としている。
【００１９】
前記のように、プロテクタ本体１１のワイヤハーネス引出側では、引き出されるワイヤハーネスＷ／Ｈを分岐させて配索方向を相違させているため、幅方向の一方側にテープ巻き部１７を突設していると共に、他方側ではワイヤハーネスＷ／Ｈの配索方向を更に二方向に分岐させるため底板部１１ａに仕切壁１１ｃを突出し、第１バンド締め部１２と第２バンド締め部１３とを設けている。即ち、両側の第１バンド締め部１２とテープ巻き部１７の間に第２バンド締め部１３を配置している。
【００２０】
前記第１バンド締め部１２は第２バンド締め部１３より外方に突出させ、図３に示すように、プロテクタ本体１１の底板部１１ａに連続する底部１２ａと、プロテクタ本体１１の側板部１１ｂに連続する側部１２ｂとを備えた断面Ｌ形状としている。底部１２ａと側部１２ｂとの突出端には、内面側および外面側に突出するＬ形状のズレ防止用リブ１２ｃを突設している。底部１２ａと側部１２ｂにより形成されるワイヤハーネス挿通支持部を通るワイヤハーネスＷ／Ｈをズレ防止用リブ１２ｃを乗り越えさせて外方へと引き出すようにしている。
【００２１】
前記側部１２ｂの先端側外面には、バンド通し筒部１２ｅを突設し、その中空部のバンド通し穴１２ｄに第１締結バンドＢ−１を貫通させて取り付けるようにしている。また、底部１２ａの側端縁より一対のバンドズレ防止用リブ１２ｆを突設している。これにより、バンド通し筒部１２ｅを通した第１締結バンドＢ−１を底部１２ａの外面（下面）に沿って巻き付けた後にバンドズレ防止用リブ１２ｆの間を通して、底部１２ａの内面を通るワイヤハーネスＷ／Ｈに巻き付けるようにしている。
【００２２】
第２バンド締め部１３は、図３に示すように、プロテクタ本体１１の底板部１１ａに突設した仕切壁１１ｃで仕切られた底部１３ａと、テープ巻き部１７との分岐位置に設けた側部１３ｂとを備え、該底部１３ａと側部１３ｂとでワイヤハーネス挿通支持部を形成している。
側部１３ｂの突出端には、平面視でＬ形状としたズレ防止用リブ１３ｃを突設し、該ズレ防止用リブ１３ｃを側部１３ｂの内面側への突出部１３ｃ−１をワイヤハーネスのズレ防止用とし、かつ、底部１３ａの下側外面への突出部１３ｃ−２を第２締結バンドＢ−２のズレ防止用としている。また、底部１３ａの上側内面にワイヤハーネス挿通方向と直交方向のズレ防止用リブ１３ｇを突設している。
さらに、側部１３ｂの外面に、第２締結バンド用のバンド通し筒部１３ｅを突設すると共に、底部１３ａにバンド通し用の貫通穴１３ｆを設けている。第２締結バンドＢ−２はバンド通し筒部１３ｅの通し穴１３ｄを通し、底部１３ａの下側外面に巻き付けて底部１３ａの貫通穴１３ｆより引き出してワイヤハーネスに巻き付けて締結するようにし、其の際、前記突出部１３ｃ−２でズレを防止できるようにしている。
【００２３】
前記テープ巻き部１７も底部１７ａと側部１７ｂとを備え、断面Ｌ形状のワイヤハーネス挿通支持部とし、底部１７ａと側部１７ｂの内面に突出するワイヤハーネスのズレ防止用リブ１７ｃをワイヤハーネスの挿通方向に間隔をあけて一対設けている。該ズレ防止用リブ１７ｃに挟まれて領域でワイヤハーネスをテープ巻き固定するようにし、側部１７ｂの外面にテープのズレ防止リブ１７ｄを突設している。
ワイヤハーネスの入口側となる他端のテープ巻き部１８も同様な形状とし、ズレ防止用リブ１８ｃを設けている。
【００２４】
以下、ワイヤハーネスＷ／Ｈのプロテクタ１０への組み付けについて説明する。
図２に示すように、ワイヤハーネスＷ／Ｈをプロテクタ本体１１に挿通し、入口側では集束している幹線のワイヤハーネスＷ／Ｈを出口側ではＷ／Ｈ−１〜Ｗ／Ｈ−３と３方向に分岐した支線として引き出している。
ワイヤハーネスＷ／Ｈ−１は第１バンド締め部１２で第１締結バンドＢ−１で固定して引き出し、ワイヤハーネスＷ／Ｈ−２は第２バンド締め部１３で第１締結バンドＢ−２で固定して引き出し、ワイヤハーネスＷ／Ｈ−３はテープ巻き部１７でテープＴを巻き付けて固定している。前記出口側において、第１バンド締め部１２と第２バンド締め部１３で夫々固定するワイヤハーネスＷ／Ｈ−１とＷ／Ｈ−２とは仕切壁１１ｃで分岐させている。  また、前記入口側では幹線のＷ／Ｈをテープ巻き部１８でテープＴを巻き付けて固定している。
【００２５】
前記第１バンド締め部１２でのワイヤハーネスＷ／Ｈー１の固定は、図６（Ａ）に示すように、底部１２ａと側部１２ｂの内面にワイヤハーネスＷ／Ｈ−１を挿通支持した状態で、第１締結バンドＢー１を底部１２ａ、側部１２ｂの外面に巻き付けた後に、底部１２ａと側部１２ｂと非接触となっているワイヤハーネスＷ／Ｈ−１の外周に巻き付けて、第１締結バンドＢ−１の係止部Ｂｘに通して締結して固定している。
詳しくは、バンド通し筒部１２ｅの通し穴１２ｄに第１締結バンドＢ−１を通し、係止部Ｂｘをバンド通し筒部１２ｅの先端に載置した状態で、バンド部Ｂｙを底部１２ａの下面に沿って巻き付け、バンドズレ防止用リブ１２ｆの間を通してワイヤハーネスＷ／Ｈ−１の外周面に巻き付けた後、係止部Ｂｘに挿入して係止している。
第１締結バンドＢー１で固定されたワイヤハーネスＷ／Ｈー１は、図５（Ａ）（Ｂ）に示すように、第１バンド締め部１２の内面側に突出するズレ防止用リブ１２ｃで屈曲し、該屈曲部Ｄでズレ防止用リブ１２ｃを乗り越えてプロテクタ１０から引き出される。
【００２６】
第２バンド締め部１３へのワイヤハーネスＷ／Ｈー２の固定は、第２締結バンドＢー２をバンド通し筒部１３ｅの通し穴１３ｄに通した状態で、図６（Ｂ）に示すように、第２バンド締め部１３の外面から底部１３ａの貫通孔１３ｆを挿通させて、ワイヤハーネスＷ／Ｈー２の外面にかけて第２締結バンドＢー１を巻回することにより、ワイヤハーネスＷ／Ｈ−２を第２バンド締め部１３に固定する。第２バンド締め部１３でも、第１バンド締め部１２と同様に、第２締結バンドＢー２で固定されたワイヤハーネスＷ／Ｈー２は、第２バンド締め部１３の内面側に突出するズレ防止用リブ１３ｃー１、１３ｇで屈曲され、該ズレ防止用リブ１３ｃー１、１３ｇを乗り越えてプロテクタ１０から引き出される。
【００２７】
前記したように、第１バンド締め部１２の底部１２ａと側部１２ｂの突出端、第２バンド締め部１３の底部１３ａと側部１３ｂの突出端に、ワイヤハーネスのズレ防止用リブを設けているため、ワイヤハーネスＷ／Ｈー１、Ｗ／Ｈ−２が挿通方向Ｘに沿って引張力を受けても、ズレ防止用リブ１２ｃ、１３ｃー１、１３ｇにワイヤハーネスＷ／Ｈの屈曲部Ｄが当接し、ワイヤハーネスＷ／Ｈの挿通方向の動きが阻止されるため、ワイヤハーネスＷ／Ｈの位置ずれを防止ことができる。
特に、第１バンド締め部１２ではズレ防止用リブ１２ｃ、第２バンド締め部１３ではズレ防止用リブ１３ｃー１と１３ｇを、それぞれワイヤハーネスＷ／Ｈ−１、Ｗ／Ｈ−２の挿通方向と直交方向に突出させ、縦横の二方向にわたってワイヤハーネスのズレを防止するため、確実にワイヤハーネスＷ／Ｈの位置ズレをより防止することができる。
【００２８】
例えば、本実施形態のプロテクタ１０において、プロテクタ１０の外側から挿通方向Ｘに沿って５０Ｎ、８０Ｎ、１００Ｎの引張力をワイヤハーネスＷ／Ｈー１、Ｗ／Ｈ−２に加えた場合のワイヤハーネスＷ／Ｈの各ズレ量は、ズレ防止用リブ１２ｃ、１３ー１と１３ｇを設けなかったときの各ズレ量の９０％、６０％、３３％に抑えることができた。
【００２９】
また、第１、第２バンド締め部１２、１３では、それぞれ側部１２ｂ、１３ｂの先端側の外面にバンド通し筒部１２ｅ、１３ｅを設けていると共に、バンドの位置ズレ防止リブ１２ｆ、１３ｃ−２を設けて第１、第２締結バンドＢ−１、Ｂ−２の位置ズレを防止している。よって、第１、第２締結バンドＢー１、Ｂ−２で固定されているワイヤハーネスＷ／Ｈ−１、Ｗ／Ｈ−３がワイヤハーネス挿通方向Ｘに引っ張られても、第１、第２締結バンドＢ−１、Ｂ−２をバンド通し筒部１２ｅ、１３ｅとバンドズレ防止リブで移動が防止され位置ずれしない。その結果。ワイヤハーネスＷ／Ｈ−１、Ｗ／Ｈ−２を位置決め固定することができ、ワイヤハーネス挿通方向Ｘへの位置ずれを防止することができる。
【００３０】
前記テープ巻き部１７においても、テープ巻きしたワイヤハーネスＷ／Ｈ−３をズレ防止用リブ１７ｃを乗り越えさせて引き出している。入口側においても同様にズレ防止用リブ１８ｃを乗り越えさせている。
よって、プロテクタ１０内を挿通させるワイヤハーネスの寸法管理を精度良く行うことができ、プロテクタ１０から引き出されるワイヤハーネスの長さを設計通りに維持することができる。
【００３１】
図７に第２実施形態を示す。
第２実施形態では、第１バンド締め部１２のズレ防止用リブ２２ｃを側部１２ｂの突出端に縦方向に設けていると共に、バンド締め部１２の底部１２ａの内面に、ズレ防止用リブ２２ｇをワイヤハーネス挿通方向Ｘおよび直交方向Ｙに間隔をあけて点在させている点を第１実施形態と相違させている。
【００３２】
前記小片状のズレ防止用リブ２２ｇはワイヤハーネス挿通方向Ｘに所定ピッチで３個配置し、挿通方向Ｘに直交する方向Ｙに所定ピッチで２個配置し、各ズレ防止用リブ２２ｇの長さ方向をＹ方向に一致させている。
なお、前記配置パターンに限られず、例えば、図８（Ａ）、（Ｂ）、（Ｃ）に示すように、ズレ防止用リブ２２ｇの長さ方向をハ字状に傾斜させて配置してもよい。
【００３３】
前記のように、バンド締め部１２の側部１２ｂの突出端内面にズレ防止用リブ２２ｃを設けると共に、バンド締め部１２の底部１２ａ内面にズレ防止用リブ２２ｇをワイヤハーネス挿通方向Ｘおよび直交方向Ｙに点在させているため、バンド締め部１２内面にワイヤハーネスＷ／Ｈの当接箇所が広範囲に多数形成され、ワイヤハーネスＷ／Ｈの位置ズレを効果的に防止することができる。また、ズレ防止用リブ２２ｇによってワイヤハーネスＷ／Ｈの挿通スペースが大幅に狭められることがなく、安定した状態でワイヤハーネスＷ／Ｈをバンド締め部１２に挿通し、バンド締め固定することができる。
他の構成および作用効果は第１実施形態と同様のため、同一の符号を付して説明を省略する。
なお、本発明は、前記実施形態には限定されず、プロテクタ本体の長さ方向の端部が分岐されていない場合も含まれるものである。
【図面の簡単な説明】
【００３４】
【図１】第１実施形態のプロテクタの概略斜視図である。
【図２】前記プロテクタにワイヤハーネスを挿通してバンド締め部でワイヤハーネスをバンド締め固定した状態を示す概略斜視図である。
【図３】図１の第１バンド締め部の要部拡大図である。
【図４】図１の第２バンド締め部の要部拡大図である。
【図５】（Ａ）（Ｂ）はワイヤハーネスの蛇行状態を示す概略断面図である。
【図６】（Ａ）は図４の第１バンド締め部の要部拡大図、（Ｂ）は第２バンド締め部の要部拡大図である。
【図７】（Ａ）は第２実施形態のプロテクタのバンド締め部の概略斜視図、（Ｂ）はワイヤハーネスがズレ防止用リブに当接している状態を示す概略断面図である。
【図８】（Ａ）〜（Ｃ）はバンド締め部の底部内面に点在させるズレ防止用リブの他の配置パターンを示す平面図である。
【図９】従来例を示す図面である。
【符号の説明】
【００３５】
１０  プロテクタ
１１  プロテクタ本体
１１ａ  底板部
１１ｂ  側板部
１２  第１バンド締め部
１２ａ  底部
１２ｂ  側部
１２ｃ  Ｌ形状のズレ防止用リブ
１２ｅ  バンド通し筒部
１２ｆ  バンドズレ防止用リブ
１３  第２バンド締め部
１３ａ  底部
１３ｂ  側部
１３ｃ、１３ｇ  ズレ防止用リブ
１３ｅ  バンド通し筒部
Ｗ／Ｈ（Ｗ／Ｈ−１、Ｗ／Ｈ−２、Ｗ／Ｈ−３）  ワイヤハーネス
Ｂー１  第１締結バンド
Ｂ−２  第２締結バンド
【図１】
2009065798.tif 000003
【図２】
2009065798.tif 000004
【図３】
2009065798.tif 000005
【図４】
2009065798.tif 000006
【図５】
2009065798.tif 000007
【図６】
2009065798.tif 000008
【図７】
2009065798.tif 000009
【図８】
2009065798.tif 000010
【図９】
2009065798.tif 000011